(57)【要約】      （修正有）【課題】主として携帯電子機器が受信したマルチメディアデータを、最適化して伝送するデータ伝送装置を提供する。【解決手段】データ伝送装置２は、ディスプレイに外部接続されるか、または内蔵され、主に中央処理ユニット、ＡＶ処理ユニット、無線伝送ユニット、マルチメディア処理ユニット、およびＡＶ入出力ユニットを含む。データ伝送装置２は無線伝送により、携帯電子装置１が伝送するパケットおよびタイムスタンプを受信し、帯域幅計算モジュールがタイムスタンプに基づいて無線伝送時の帯域幅情報を計算して電子装置に返送する。これにより電子装置は帯域幅情報に基づいて直ちにパケットの圧縮比を調整する。ＡＶ処理ユニットがパケットをマルチメディアデータに復元し、マルチメディア処理ユニットがマルチメディアデータの最適化を行う。【選択図】図２
0003158507.tif 000002
【実用新案登録請求の範囲】
【請求項１】
無線伝送によりマルチメディアデータのパケットおよびタイムスタンプを受信し、前記タイムスタンプに基づいて無線伝送時の帯域幅情報を計算することで、前記パケットの圧縮比を調整するデータ伝送装置であって、
無線伝送により、前記パケットおよび前記タイムスタンプを受信する無線伝送ユニットと、
前記無線伝送ユニットと電気的に接続し、前記タイムスタンプを受信する中央処理ユニットと、
前記無線伝送ユニットおよび前記中央処理ユニットと電気的に接続して前記パケットを受信し、デコードおよび解凍を行うことで、前記パケットを前記マルチメディアデータに復元するＡＶ処理ユニットと、
前記ＡＶ処理ユニットと電気的に接続して前記マルチメディアデータを受信し、前記マルチメディアデータの最適化を行うマルチメディア処理ユニットと、
前記マルチメディア処理ユニットと電気的に接続してその最適化したマルチメディアデータを受信することにより、外部のディスプレイに出力して表示するＡＶ入出力ユニット
を含むことを特徴とするデータ伝送装置。
【請求項２】
前記中央処理ユニットがさらに帯域幅計算モジュールを含み、前記帯域幅計算モジュールが前記タイムスタンプを受信して、前記タイムスタンプに基づいて無線伝送時の前記帯域幅情報を計算し、前記パケットの送信端末に返送することにより、前記送信端末が前記帯域幅情報に基づいて前記パケットの圧縮比を調整することを特徴とする請求項１に記載のデータ伝送装置。
【請求項３】
前記パケットの送信端末が外部の携帯電子装置であり、前記携帯電子装置は表示ユニットを有し、前記マルチメディアデータの表示に用いられることを特徴とする請求項１に記載のデータ伝送装置。
【請求項４】
前記外部のディスプレイの表示機能が前記表示ユニットより優れており、前記マルチメディア処理ユニットは、前記マルチメディアデータを最適化することにより、前記外部のディスプレイで表示すると、前記表示ユニットで表示するときより優れた表示効果が得られることを特徴とする請求項３に記載のデータ伝送装置。
【請求項５】
前記ＡＶ入出力ユニットがテレビ信号ケーブルと接続してテレビ信号を受信し、前記外部のディスプレイに出力して表示することを特徴とする請求項１に記載のデータ伝送装置。
【請求項６】
前記無線伝送がＩＥＥＥ８０２．１１ｎ通信プロトコルの無線ネットワークを使用することを特徴とする請求項１に記載のデータ伝送装置。
【請求項７】
前記無線伝送がブルートゥース無線ネットワークを使用することを特徴とする請求項１に記載のデータ伝送装置。
【考案の詳細な説明】
【技術分野】
【０００１】
本考案は伝送装置、特に受信した外部データを伝送する伝送装置に関する。
【背景技術】
【０００２】
半導体産業は絶えず進歩しており、各種電子装置の体積はますます小さくなっている。さらに、無線ネットワークの迅速な発展により、データの送受信はかなり便利になった。このため、携帯電話、ＭＰ３プレーヤー、および携帯情報端末（Ｐｅｒｓｏｎａｌ  Ｄｉｇｉｔａｌ  Ａｓｓｉｓｔａｎｔ、ＰＤＡ）などの携帯電子装置（またはハンドヘルド電子装置ともいう）は、しだいに電子市場の主流となり、人々にとって不可欠なものとなっている。
【０００３】
しかしながら、前述の携帯電子装置の体積は小さく、携帯するのに便利であるが、そのために配置する表示画面の寸法が限定されてしまう。したがって、現在電子装置の多くがマルチメディアデータを表示しても、これらの携帯電子装置の表示画面は小さく、比較的見るのに苦労する。そのため、電子装置で映画やテレビ番組などを見るために集中力を必要とすること、さらに字幕に注意する必要があるマルチメディアデータに、依然としてユーザーは慣れていない。さらにこれらの電子装置のコストおよび機能性を考慮すると、マルチメディアデータの表示は付加機能であるため、電子装置の解像度を通常比較的低くしている。マルチメディアデータの表示を専用とする液晶画面、またはプラズマテレビなどの表示装置と比較した場合、これらの電子装置では視覚的な満足感を得ることはできない。
【０００４】
近年、市場では携帯電子装置への需要がますます大きくなっている。そのためゲームメーカーの多くが、電子装置で行うのに適したゲームの開発に次々と参入している。しかし、前述した欠点のように、小さすぎる表示画面はゲームのスムーズさおよびおもしろさにも影響を及ぼす。したがって、ゲーム自体は素晴らしくても、テレビ画面で表示するテレビゲームと同じようには、一般の人に簡単に受け入れられることはない。
【０００５】
さらに、現在市場では、例えばアップル社（Ａｐｐｌｅ）のｉ−ｐｏｄ  ｔｏｕｃｈ、および宏達国際電子のＨＴＣ  ＨＥＲＯなど、多くの携帯電子装置が傾きを検出する機能を有している。電子装置の総合的な操作によって、ユーザーは制御コマンドを送り、ゲームを体感する。しかし、前述のゲームを行うとき、前記携帯電子装置はテレビゲームのコントローラであると同時に表示画面でもあるため、操作および画面の双方に気を配る必要があり、必然的に傾きの大きい動作ができない。したがって、検知機能を徹底して発揮できないだけでなく、ユーザーにも満足してもらえない。
【考案の概要】
【考案が解決しようとする課題】
【０００６】
本考案の主要な目的は、データ伝送装置を提供することにあり、携帯電子装置が伝送するマルチメディアデータを受信してマルチメディアデータを最適化し、さらに外部のディスプレイに出力して表示する。
【０００７】
本考案の別の主要な目的は、データ伝送装置を提供することにあり、携帯電子装置が無線伝送により伝送するパケットおよびタイムスタンプを受信し、タイムスタンプに基づいて無線伝送時の帯域幅情報を計算して電子装置に返送する。これにより、電子装置は帯域幅情報に基づいてパケットの圧縮比を調整する。
【課題を解決するための手段】
【０００８】
前述の目的を達成するため、本考案のデータ伝送装置は主にディスプレイに外部接続されるか、または内蔵され、中央処理ユニット、ＡＶ処理ユニット、無線伝送ユニット、マルチメディア処理ユニット、およびＡＶ入出力ユニットを含む。データ伝送装置は無線伝送により携帯電子装置が伝送するパケットおよびタイムスタンプを受信する。帯域幅計算モジュールがタイムスタンプに基づいて無線伝送時の帯域幅情報を計算し、電子装置に返送する。ＡＶ処理ユニットはパケットをマルチメディアデータに復元し、マルチメディア処理ユニットがマルチメディアデータの最適化を行う。
【０００９】
本考案を先行技術の機能と比較すると、データ伝送装置は帯域幅計算モジュールにより無線伝送時の帯域幅情報を計算して帯域幅情報を電子装置に返送する。電子装置が帯域幅情報に基づいて圧縮比を調整することにより、データの伝送がよりスムーズになる。さらに、マルチメディア処理ユニットはマルチメディアデータの最適化を行い、最適化後に比較的高い表示機能を有するディスプレイに出力して表示し、視覚および聴覚的な満足感を高めることができる。
【図面の簡単な説明】
【００１０】
【図１】図１は本考案の好適な具体的実施例の接続概略図である。
【図２】図２は本考案の好適な具体的実施例のブロック図である。
【図３】図３は本考案の好適な具体的実施例のフローチャート図である。
【考案を実施するための形態】
【実施例】
【００１１】
本考案の特徴および技術内容をさらに詳しく理解できるように、以下に記述する説明および図を参照されたい。しかしながら図は説明の参考に示したものであり、制限するものではない。まず、図１の本考案の好適な具体的実施例の接続概略図を参照されたい。図に示すように、本考案のデータ伝送装置２は主に携帯電子装置１（以降電子装置１と略称する）およびディスプレイ３の間に用いられる。伝送装置２はディスプレイ３に外部接続されるか、またはディスプレイ３に内蔵される。ディスプレイ３はマルチメディアデータ、例えば映画、テレビ番組、もしくはテレビゲームの映像および音声データを表示する液晶テレビ、プラズマテレビ、またはパソコン画面など、比較的高い表示機能を有するディスプレイであるが、これに限定されない。伝送装置２および電子装置１は、例えば８０２．１１ｎプロトコルの無線ネットワーク、ブルートゥース、またはピアツーピア（Ｐｅｅｒ  ｔｏ  Ｐｅｅｒ）などの無線伝送方法により相互に伝送される。
【００１２】
続いて図２の本考案のブロック図を参照されたい。電子装置１は主にユーザーインターフェース１１、中央処理装置１２、ＡＶ処理装置１３、無線伝送装置１４、および表示ユニット１５を含む。ユーザーインターフェース１１は、電子装置１のユーザートリガに用いられ、コントロール信号を送る。中央処理装置１２は主にマルチメディアデータの表示に用いられ、表示中はマルチメディアデータの映像および音声データをキャプチャし続ける。中央処理装置１２はユーザーインターフェース１１と電気的に接続しており、ユーザーインターフェース１１が出力する制御信号を受信し、マルチメディアデータを制御する。
【００１３】
ＡＶ処理装置１３は中央処理装置１２と電気的に接続して、中央処理装置１２がキャプチャしたマルチメディアデータの映像および音声データを受信し、圧縮およびエンコードを行うことで、無線伝送に必要なパケットＰ１を生成する。無線伝送装置１４は中央処理装置１２、およびＡＶ処理装置１３と電気的に接続してパケットＰ１を受信し、無線伝送により外部に伝送する。中央処理装置１２はパケット調整モジュール１２１をさらに含み、外部情報を受信し、受信した情報によってパケットＰ１の圧縮比を調整する。表示ユニット１５はＡＶ処理装置１３と電気的に接続し、マルチメディアデータの映像および音声データの表示に用いられる。
【００１４】
提起すべきことは、電子装置１がパケットＰ１を伝送するのと同時に、中央処理装置１２はパケットＰ１に対応するタイムスタンプ（Ｔｉｍｅ  ｓｔａｍｐ）Ｔ１を生成し、無線伝送装置１４に送信する。それによってパケットＰ１と共に伝送装置２に伝送される。
【００１５】
伝送装置２は主に無線伝送ユニット２１、中央処理ユニット２２、ＡＶ処理ユニット２３、マルチメディア処理ユニット２４、およびＡＶ入出力ユニット２５を含む。無線伝送ユニット２１は、中央処理ユニット２２およびＡＶ処理ユニット２３と電気的に接続し、電子装置１が無線伝送により伝送してきたパケットＰ１およびタイムスタンプＴ１を受信する。受信後、パケットＰ１をＡＶ処理ユニット２３に送信してデコードおよび解凍を行うことで、パケットＰ１をマルチメディアデータに復元する。マルチメディア処理ユニット２４はＡＶ処理ユニット２３と電気的に接続し、マルチメディアデータの最適化を行う。電子装置１の表示ユニット１５の表示機能は、通常外部のディスプレイ３よりも悪いため、マルチメディアデータをディスプレイ３に出力して表示すると、電子装置１で表示するときより優れた表示効果を得ることができる。したがって伝送装置２は、マルチメディア処理ユニット２４が、例えば映像データを低解像度から高解像度に調整することで、映像データの明るさ、コントラストを増強し、音声データのノイズなどを低下させる最適化を行う。ＡＶ入出力ユニット２５は、マルチメディア処理ユニット２４と電気的に接続し、マルチメディア処理ユニット２４が調整した後のデータを受信し、ディスプレイ３に出力して表示する。提起すべきことは、ＡＶ入出力ユニット２５も、テレビ信号ケーブル（図示せず）を介してテレビ信号Ｓ１を受信することで、テレビ信号Ｓ１を外部のディスプレイ３に出力して表示する。すわなち、一般のテレビとして使用する。
【００１６】
そのうち、中央処理ユニット２２は、さらに帯域幅計算モジュール２２１を含み、無線伝送ユニット２１からタイムスタンプＴ１を受信し、タイムスタンプＴ１によって無線伝送時の帯域幅情報Ｂ１を計算する。最後に帯域幅情報Ｂ１を電子装置１のパケット調整モジュール１２１に返送する。これ以外に、ＡＶ処理ユニット２３がパケットＰ１のデコードおよび解凍を行うとき、タイムスタンピングＴ１を参考にすることで、解凍後のマルチメディアデータがＡＶ同期の状態を維持できるようにする。
【００１７】
続いて図３の本考案の好適な具体的実施例のフローチャート図を参照されたい。本実施例では、ユーザーは電子装置１をマルチメディアデータのプレーヤー（例えばテレビゲーム機またはＡＶプレーヤーなど）とする。まず、電子装置１は中央処理装置１２によりマルチメディアデータを表示する（段階Ｓ１０）。マルチメディアデータの表示中、中央処理装置１２はマルチメディアデータの映像および音声データをキャプチャし続ける（段階Ｓ１２）。続いて、無線伝送により円滑に伝送するため、中央処理装置１２はキャプチャした映像および音声データをＡＶ処理装置１３に送信し、データの圧縮およびエンコードを行うことで（段階Ｓ１４）、パケットＰ１が生成され、さらにパケットＰ１を無線伝送装置１４に送信する。電子装置１がパケットＰ１を伝送するのと同時に、中央処理装置１２はパケットＰ１に対応するタイムスタンプＴ１を生成し、無線伝送装置１４に送信する。無線伝送装置１４は無線伝送により、パケットＰ１およびタイムスタンプＴ１を一緒に伝送装置２に伝送する（段階Ｓ１６）。
【００１８】
伝送装置２は無線伝送ユニット２１によりパケットＰ１およびタイムスタンプＴ１を受信する（段階Ｓ１８）。無線伝送ユニット２１は受信後、パケットＰ１をＡＶ処理ユニット２３に送信する。ＡＶ処理ユニット２３はパケットＰ１のデコードおよび解凍を行い（段階Ｓ２０）、パケットＰ１をマルチメディアデータに復元する。続いて、ＡＶ処理ユニット２３はマルチメディアデータをマルチメディア処理ユニット２４に送信し、マルチメディア処理ユニット２４はマルチメディアデータの最適化を行う（段階Ｓ２２）。最後に、マルチメディア処理ユニット２４は、最適化したマルチメディアデータをＡＶ入出力ユニット２５に送信し、ＡＶ入出力ユニット２５からディスプレイ３に出力して表示し（段階Ｓ２４）、最高の視覚効果を得る。
【００１９】
前述の段階Ｓ１８の後、伝送装置２の無線伝送ユニット２１は、受信したタイムスタンプＴ１を中央処理ユニット２２に伝送する。中央処理ユニット２２はその内部の帯域幅計算モジュール２２１により、タイムスタンプＴ１に基づいて無線伝送時の帯域幅情報Ｂ１を計算する（段階Ｓ３０）。続いて、帯域幅計算モジュール２２１は、帯域幅情報Ｂ１を無線伝送ユニット２１に送信し、無線伝送ユニット２１により電子装置１に返送される（段階Ｓ３２）。電子装置１は帯域幅情報Ｂ１を受信後、帯域幅情報Ｂ１を中央処理装置１２のパケット調整モジュール１２１に送信し、パケット調整モジュール１２１は帯域幅情報Ｂ１に基づいてパケットＰ１の圧縮比を調整する（段階Ｓ３４）。また中央処理装置１２はＡＶ処理装置１３にコマンドを送信して、ＡＶ処理装置１３が調整後の圧縮比で、次のパケットＰ１の圧縮およびエンコードを行うことができるようにする。これにより、本考案の伝送システムが存在する環境で、パケットＰ１の圧縮の大きさを帯域幅リソースに対応させ、さらに最高の伝送効率および結果を得る。
【００２０】
以上の記述は、本考案の好適な実施例の具体的説明であり、本考案の実用新案登録請求の範囲を限定しない。その他のいかなる同等の変更も後述する実用新案登録請求の範囲内に属するべきである。
【符号の説明】
【００２１】
１  携帯電子装置
１１  ユーザーインターフェース
１２  中央処理装置
１２１  パケット調整モジュール
１３  ＡＶ処理装置
１４  無線伝送装置
１５  表示ユニット
２  データ伝送装置
２１  無線伝送ユニット
２２  中央処理ユニット
２２１  帯域幅計算モジュール
２３  ＡＶ処理ユニット
２４  マルチメディア処理ユニット
２５  ＡＶ入出力ユニット
３  ディスプレイ
Ｐ１  パケット
Ｔ１  タイムスタンプ
Ｂ１  帯域幅情報
Ｓ１  テレビ信号
Ｓ１０〜Ｓ２４  段階
Ｓ３０〜Ｓ３４  段階
【図１】
0003158507.tif 000003
【図２】
0003158507.tif 000004
【図３】
0003158507.tif 000005